(57)【要約】【課題】  機器管理及び設備管理が共通に使うことができる機器特定のためのデータベース手段を有する機器管理システムを実現する。【解決手段】  機器ＩＤをキーとして機器管理を行うとともに、機器タグをキーとして設備管理を行なう機器管理システムにおいて、  前記機器ＩＤと前記機器タグの組み合わせをレコードとするデータベース手段を有する。【選択図】                    図１
2005084941.tif 000002
【特許請求の範囲】
【請求項１】
機器ＩＤをキーとして機器管理を行うとともに、機器タグをキーとして設備管理を行なう機器管理システムにおいて、
前記機器ＩＤと前記機器タグの組み合わせをレコードとするデータベース手段を有することを特徴とする機器管理システム。
【請求項２】
前記データベース手段は、前記レコードを集合した機器特定テーブルと、前記レコードにリンクする管理情報テーブルを有することを特徴とする請求項１記載の機器管理システム。
【請求項３】
前記レコードは、前記機器ＩＤ又は前記機器タグが不明の場合は不明情報が記入されることを特徴とする請求項１又は２記載の機器管理システム。
【請求項４】
前記不明情報は、前記機器ＩＤ又は前記機器タグが特定されたときには修正入力されることを特徴とする請求項３記載の機器管理システム。
【請求項５】
前記レコードは、前記機器ＩＤ又は前記機器タグの一方が変更された場合には別レコードが生成されることを特徴とする請求項１乃至４のいずれかに記載の機器管理システム。
【請求項６】
前記データベース手段を有するサーバに対し、前記機器管理を実行する機器管理コンピュータ及び前記設備管理を実行する設備管理コンピュータが通信バスを介して接続され、前記機器管理コンピュータ及び前記設備管理コンピュータは、自己の管理情報を前記データベース手段に登録すると共に、必要な管理情報を読み出して利用することを特徴とする請求項１乃至５のいずれかに記載の機器管理システム。
【発明の詳細な説明】
【技術分野】
【０００１】
本発明は、プラントにおける機器に対して機器ＩＤをキーとして機器管理を行うとともに、機器タグをキーとして設備管理を行なう機器管理システムに関するものである。
【背景技術】
【０００２】
プラントにおける各種機器の管理とは、プラントを建設、維持、保全していくための管理であり、プラントのトータルコスト削減等を主目的とするものである。機器管理をする際の機器を特定するために従来は２つのアプローチ、即ち機器ＩＤをキーとする機器管理及び機器タグをキーとする設備管理がある。
【０００３】
機器管理では、機器を物理的にユニークに特定する機器ＩＤをキーとして情報を管理する。管理情報の例としては、機器の診断履歴、保全用各種パラメータの参照, 設定, 履歴管理、点検スケジュール, 点検記録の履歴管理、あるいは、機器の保全管理のコスト等がある。
【０００４】
ここで機器ＩＤとは、この機器を唯一に特定するための機能をもつコードとして定義したものである。例えば、機器のベンダー名、モデル名、レビジョン、製造番号等を組み合わせたコードである。
【０００５】
設備管理とは、運転中のプラントと関連付けて管理するために、プラント上で機器を特定するための機器タグをキーにして機器の情報を管理する。管理情報の内容は、前記機器管理における情報管理に加えてプランと独自の診断情報管理等が含まれる。
【０００６】
ここで機器タグとは、ある範囲のプラント階層において、その機器を特定するためにエンジニアリング時に付された名前（階層内の位置情報）として定義される。
【０００７】
図１３は、従来の機器管理システムの構成例を示す機能ブロック図である。１は機器管理コンピュータであり、機器側の視点から機器を管理するツールである機器管理プログラムが利用する機器管理データベース１ａを有する。この機器管理データベースの内容は、機器ＩＤとこの機器ＩＤの管理情報である設定／参照、パラメータ値を対とする機器管理テーブル１ｂである。
【０００８】
２は設備管理コンピュータであり、プラントの視点から機器を管理するツールである設備管理プログラムが利用する設備管理データベース２ａを有する。この設備管理データベースの内容は、機器タグとこの機器タグの管理情報である設定／参照、パラメータ値を対とする機器管理テーブル２ｂである。
【０００９】
機器管理コンピュータ１側において、３はスタンドアロンインターフェイスであり、直接機器４と通信して機器ＩＤの取得及びその管理情報を取得して機器管理テーブル１ｂに登録する。５はハンディーターミナルであり、フィールドバス６を介してこのフィールドバスに接続された機器７ａ, ７ｂと通信して機器ＩＤの取得及びその管理情報を取得して機器管理テーブル１ｂに登録する。
【００１０】
設備管理コンピュータ２側において、８は階層構造をとる分散型制御システムの上位ステーションであり、フィールドバス９を介してプラントの機器１０ａ, １０ｂ, １０ｃと通信し制御を実行する。１１はこのフィールドバス９に接続されたエンジニアリングステーションであり、機器１０ａ, １０ｂ, １０ｃの機器タグを生成する。
【００１１】
設備管理コンピュータ２は、フィールドバス９を介してこのフィールドバスに接続された機器１０ａ, １０ｂ, １０ｃと通信し、又はエンジニアリングステーション１１と通信して機器タグの取得及びその管理情報を取得して設備管理テーブル２ｂに登録する。
【００１２】
【特許文献１】特開２００２−４１１３９号公報
【特許文献２】特開２００２−９９３２６号公報
【発明の開示】
【発明が解決しようとする課題】
【００１３】
機器の管理情報は、前述の機器管理のアプローチであっても設備管理のアプローチであっても、共通な情報が多い。しかし機器を特定する手段が異なるために、特にプラント中での運用で機器を交換（設備管理）したり、プラントから外した状態でメンテナンス（機器管理）したり、といった情報を相互に効率よく利用することが困難であった。
【００１４】
即ち、設備管理及びそのプラントエンジニアリングの視点によるアプローチでは、その機器のプラント中の位置を示す機器タグがその機器を特定する手段であり、プラントの寿命の間に機器は交換されてゆくものであるから、個々の機器を特定する機器ＩＤは機器を特定するキーとはなりえない。
【００１５】
逆に、機器管理のアプローチでは、機器そのものの保全情報、診断やメンテナンス情報を管理する。たとえ、機器がプラント上に組み込まれていなくても管理対象であり、その場合の機器タグは一時的なものでしかない。従って、機器タグは機器を特定するキーとはなりえない。
【００１６】
従って本発明が解決しようとする課題は、
（１）機器管理及び設備管理が共通に使うことができる機器特定のためのデータベース手段を有する機器管理システムを実現する、
（２）機器タグが未定義の段階、あるいは機器ＩＤが未知の段階で得た管理情報と、その後、その機器について機器タグを定義したか、あるいは機器ＩＤが判明した段階で、
それまでに得ていた管理情報が新たに既知となった機器の管理情報データベースとして利用できる機器管理システムを実現する、
ことにある。
【課題を解決するための手段】
【００１７】
このような課題を達成するために、本発明の構成は次の通りである。
（１）機器ＩＤをキーとして機器管理を行うとともに、機器タグをキーとして設備管理を行なう機器管理システムにおいて、
前記機器ＩＤと前記機器タグの組み合わせをレコードとするデータベース手段を有することを特徴とする機器管理システム。
【００１８】
（２）前記データベース手段は、前記レコードを集合した機器特定テーブルと、前記レコードにリンクする管理情報テーブルを有することを特徴とする（１）記載の機器管理システム。
【００１９】
（３）前記レコードは、前記機器ＩＤ又は前記機器タグが不明の場合は不明情報が記入されることを特徴とする（１）又は（２）記載の機器管理システム。
【００２０】
（４）前記不明情報は、前記機器ＩＤ又は前記機器タグが特定されたときには修正入力されることを特徴とする（３）記載の機器管理システム。
【００２１】
（５）前記レコードは、前記機器ＩＤ又は前記機器タグの一方が変更された場合には別レコードが生成されることを特徴とする（１）乃至（４）のいずれかに記載の機器管理システム。
【００２２】
（６）前記データベース手段を有するサーバに対し、前記機器管理を実行する機器管理コンピュータ及び前記設備管理を実行する設備管理コンピュータが通信バスを介して接続され、前記機器管理コンピュータ及び前記設備管理コンピュータは、自己の管理情報を前記データベース手段に登録すると共に、必要な管理情報を読み出して利用することを特徴とする（１）乃至（５）のいずれかに記載の機器管理システム。
【発明の効果】
【００２３】
以上説明したことから明らかなように、本発明によれば次のような効果がある。
（１）機器ＩＤあるいは機器タグを使用せず、機器管理及び設備管理に共通に使うことができる機器特定のためのデータベース手段を導入することにより、機器管理と設備管理で共通に機器の情報を扱える環境が実現される。
【００２４】
（２）機器タグが未定義の段階、あるいは機器ＩＤが未知の段階で得た管理情報と、その後、その機器について機器タグを定義したか、あるいは機器ＩＤが判明した段階で、
それまでに得ていた管理情報が新たに既知となった機器の管理情報データベースとして利用できるので、機器管理に関しては機器の状態、即ちプラントに組み込まれているか否かによらず、柔軟で再利用可能な管理システムを実現することができる。
【発明を実施するための最良の形態】
【００２５】
以下本発明を、図面を用いて詳細に説明する。図１は本発明を適用した機器管理システムの一実施例を示す機能ブロック図である。図１３で説明した従来システムと同一要素には同一符号を付して説明を省略する。以下、本発明の特徴部につき説明する。
【００２６】
図１において、１００はサーバであり、機器管理／設備管理共通データベース１００ａを有する。機器管理／設備管理共通データベース１００ａの内容は、機器特定テーブル１００ｂとこれとリンクする管理情報テーブル１００ｃで構成されている。
【００２７】
２００は機器管理コンピュータであり、従来システムの機器管理コンピュータ１と同様に機器側の視点から機器を管理するツールである機器管理プログラムを有するが、機器管理データベース２００ａは見かけ上の仮想データベースである。この仮想的な機器管理データベースの内容は、従来システムのテーブル１ｂと同様な機器ＩＤとこの機器ＩＤの管理情報である設定／参照、パラメータ値を対とする機器管理テーブルである。
【００２８】
３００は、設備管理コンピュータであり、従来システムの設備管理コンピュータ２と同様にプラントの視点から機器を管理するツールである設備管理プログラムを有するが、設備管理データベース３００ａは見かけ上の仮想データベースである。この仮想的な設備管理データベースの内容は、従来システムのテーブル２ｂと同様な機器タグとこの機器タグの管理情報である設定／参照、パラメータ値を対とする機器管理テーブルである。
【００２９】
サーバ１００に対して、機器管理コンピュータ２００及び設備管理コンピュータ３００はイーサネット（登録商標）で代表される汎用通信バス４００を介して接続され、機器管理コンピュータ２００及び設備管理コンピュータ３００は、自己の管理情報をサーバ１００の共通データベース手段１００ａに登録すると共に、必要な管理情報を読み出して仮想データベース２００ａ及び３００ａとして利用する。
【００３０】
図２は、機器管理／設備管理共通データベース１００ａ並びに仮想的な機器管理データベース２００ａ及び仮想的な設備管理データベース３００ａの具体的な構造を示すテーブルである。
【００３１】
図２下部の点線のブロックは、機器管理／設備管理共通データベース１００ａの内容を構成する機器特定テーブル１００ｂ及びこれにリンクする管理情報テーブル１００ｃの構成例を示す。機器特定テーブル１００ｂの特徴は、機器ＩＤと機器タグの組み合わせを１レコードとした集合であり、各レコードにはユニークな識別番号（ＩＤ番号）を付して管理される。
【００３２】
機器特定テーブル１００ｂにおけるレコードの特徴は、機器ＩＤ又は前記機器タグの一方が不明の場合は不明情報（図ではUnknownで表記）が記入される点である。この不明情報は、不明機器ＩＤ又は不明機器タグが特定されたときには修正記入される。
【００３３】
管理情報テーブル１００ｃの特徴は、前記機器特定テーブルのレコードに対応するＩＤ番号でリンクし、このＩＤ番号のレコードに関する管理情報を蓄積する。従って同一ＩＤ番号の管理情報が複数ある場合にはテーブルのＩＤ番号は重複して存在する。
【００３４】
図示の例では、ＩＤ１にリンクする管理情報は２個、ＩＤ２にリンクする管理情報は２個、ＩＤ３にリンクする管理情報は２個あることを示している。
【００３５】
図２上部に示された２個の点線のブロックは、仮想的な機器管理データベース２００ａ及び仮想的な設備管理データベース３００ａの内容である機器管理テーブル２００ｂ及び設備管理テーブル３００ｂの構成例を示す。
【００３６】
仮想的な機器管理テーブル２００ｂは、機器特定テーブル１００ｂにおいてＩＤｎで管理される機器ＩＤと、同一ＩＤ番号ＩＤｎでリンクする管理情報テーブル１００ｃの情報３個が参照されており、これは見かけ上従来システムの機器管理テーブル１ｂと等価である。
【００３７】
同様に、仮想的な設備管理テーブル３００ｂは、機器特定テーブル１００ｂにおいてＩＤｎで管理される機器タグと、同一ＩＤ番号ＩＤｎでリンクする管理情報テーブルの情報３個が参照されており、これは見かけ上従来システムの機器管理テーブル２ｂと等価である。
【００３８】
このように、本発明では管理対象の機器は、機器特定テーブル１００ｂにより機器ＩＤと機器タグの組み合わせを１レコードとした集合であるデータベース手段により管理されるが、機器管理にとって機器ＩＤは必須であるが機器タグは必須でないので、レコード中の機器タグは不明情報であっても仮想的な機器管理テーブル２００ｂでの利用は影響を受けない。
【００３９】
逆に、設備管理にとって機器タグは必須であるが機器ＩＤは必須でないので、レコード中の機器ＩＤは不明情報であっても仮想的な設備管理テーブ３００ｂでの利用は影響を受けない。設備管理にとっての機器は、機器タグによってプラント中の位置が確定する機器を組み込むための「枠」であると解釈でき、機器の実態は交換可能である。
【００４０】
以下図３乃至図１２に示したテーブルの遷移状態により、本発明機器管理システムにおける機器特定テーブル１００ｂ及び管理情報テーブル１００ｃによる機器管理の運用例を説明する。
【００４１】
図３は、プラントに組み込まれていない新しい機器Ａ（機器ＩＤ＝DeviceID_A）の校正,診断を実行する場合の機器特定テーブルのレコード内容である。レコードのＩＤ番号はＩＤ１、機器ＩＤはDeviceID_A、機器タグはプラントに組み込まれていないので、Unknownが書き込まれる。
【００４２】
図４は、管理情報テーブルの内容であり、ＩＤ１にリンクするテーブルにDeviceID_Aの校正診断結果情報が書き込まれる。
【００４３】
図５は、機器Ａに機器タグ＝TAG_A1を割付け、プラントで稼動させた場合の機器特定テーブルの遷移を示すものであり、Unknown情報がTAG_A1で上書き修正で書き込まれる。Unknown状態に対する書き込みの際には新しいレコードの追加生成はなく、レコードのＩＤはＩＤ１のままである。
【００４４】
図６は、機器Ａに対して同じＩＤ番号（ＩＤ１）を使って機器管理から２回の校正診断、設備管理から１回の管理情報設定操作をした場合の管理情報テーブルの内容を示すものであり、全ての操作は機器ＡのＩＤ番号であるＩＤ１で管理される。
【００４５】
図７は、機器タグTAG_A1で管理されていた機器Ａを機器Ｂ（機器ＩＤ＝DeviceID_B）に交換する場合の機器特定テーブルの遷移を示しており、機器ＩＤが変更されたため、機器特定テーブルでは新しい機器ＩＤが記入されたＩＤ２のレコードが生成される。新しいレコードでは機器タグはTAG_A1のままで変更されない。
【００４６】
図８は、図６の３件の管理情報に加えて、図７の機器交換後に２件の操作即ち設備管理からのＩＤ２に対する管理情報設定及び機器管理からのＩＤ１に対する３回目の校正診断操作した場合の管理情報テーブル内容の遷移を示す。
【００４７】
図９は、プラントから外した機器Ａ（機器ＩＤ＝DeviceID_A）の機器タグをTAG_A2に変更した場合の機器特定テーブルの遷移を示すものであり、機器タグの変更のため新しい機器タグが記入されたＩＤ３のレコードが生成される。
【００４８】
図１０は、図８の５件の管理情報に加えて、図９の機器タグ変更後に２件の操作即ち機器管理からのＩＤ３に対する４回目の校正診断操作及び設備管理からのＩＤ３の機器タグTAG_A2に対する管理情報設定をした場合の管理情報テーブル内容の遷移を示す。
【００４９】
図１１は、新しい機器タグTAG_Bをプラントに追加する場合の機器特定テーブルの遷移を示すものであり、機器ＩＤ＝Unknown、機器タグ＝TAG_Bが書き込まれた新しいＩＤ４のレコードが生成される。
【００５０】
図１２は、この状態からTAG_Bの機器を新しい機器に交換する場合の機器特定テーブルの遷移を示すものであり、機器ＩＤが不明のばあいは機器ＩＤ＝Unknown、機器タグ＝TAG_Bが書き込まれた新しいＩＤ５の新しいレコードが生成される。
【００５１】
以上説明したように、本発明の機器特定テーブルの遷移アルゴリズムは、組み合わせられる機器ＩＤ及び機器タグの一方が変更された場合には新たなＩＤ番号を持つレコードが生成される。
【００５２】
以上説明した実施例では、機器管理及び設備管理の操作による管理情報は共通するものが多いため管理情報テーブルにおける情報内容は両管理で共通利用する形態を示したが、設備管理においてプラントの診断等設備管理特有の情報を扱う場合には、管理情報テーブルを共通項目と各管理特有項目に分類してデータ管理をすることができる。
【図面の簡単な説明】
【００５３】
【図１】本発明を適用した機器管理システムの一実施例を示す機能ブロック図である。
【図２】機器管理／設備管理共通データベース並びに仮想的な機器管理データベース及び仮想的な設備管理データベースの具体的な構造を示すテーブルである。
【図３】機器特定テーブル及び管理情報テーブルによる機器管理の運用例を説明するテーブル遷移図である。
【図４】機器特定テーブル及び管理情報テーブルによる機器管理の運用例を説明するテーブル遷移図である。
【図５】機器特定テーブル及び管理情報テーブルによる機器管理の運用例を説明するテーブル遷移図である。
【図６】機器特定テーブル及び管理情報テーブルによる機器管理の運用例を説明するテーブル遷移図である。
【図７】機器特定テーブル及び管理情報テーブルによる機器管理の運用例を説明するテーブル遷移図である。
【図８】機器特定テーブル及び管理情報テーブルによる機器管理の運用例を説明するテーブル遷移図である。
【図９】機器特定テーブル及び管理情報テーブルによる機器管理の運用例を説明するテーブル遷移図である。
【図１０】機器特定テーブル及び管理情報テーブルによる機器管理の運用例を説明するテーブル遷移図である。
【図１１】機器特定テーブル及び管理情報テーブルによる機器管理の運用例を説明するテーブル遷移図である。
【図１２】機器特定テーブル及び管理情報テーブルによる機器管理の運用例を説明するテーブル遷移図である。
【図１３】従来の機器管理システムの構成例を示す機能ブロック図である。
【符号の説明】
【００５４】
３  スタンドアロンインターフェイス
４  機器
５  ハンディーターミナル
６  フィールドバス
７a, ７b  機器
８  上位ステーション
９  フィールドバス
１０a, １０b, １０c  機器
１１  エンジニアリングステーション
１００  サーバ
１００a  機器管理／設備管理共通データベース
１００b  機器特定テーブル
１００c  管理情報テーブル
２００  機器管理コンピュータ
２００a  仮想機器管理データベース
３００  設備管理コンピュータ
３００a  仮想設備管理データベース
４００  汎用通信バス
【図１】
2005084941.tif 000003
【図２】
2005084941.tif 000004
【図３】
2005084941.tif 000005
【図４】
2005084941.tif 000006
【図５】
2005084941.tif 000007
【図６】
2005084941.tif 000008
【図７】
2005084941.tif 000009
【図８】
2005084941.tif 000010
【図９】
2005084941.tif 000011
【図１０】
2005084941.tif 000012
【図１１】
2005084941.tif 000013
【図１２】
2005084941.tif 000014
【図１３】
2005084941.tif 000015